(57)【要約】【課題】  サーフボードを置くことができるサーフチェアを提供すること。【解決手段】、  本発明のサーフチェア１０は、下部が砂地に当たり、上部がグリップ部材４を備え、サーフボード２０を置くことができる平坦部を有し、下部側に補強材９が連結された１組の脚部１と、１脚部の間に配置され、下部が脚部１の下側に回転可能に取り付けられ、互いに交差する位置で回転可能に連結されるとともに、上部に座布２を備えた１組の座部部材６とを備え、座部部材６は、サーフチェア１０の使用時に平坦部よりも低い位置に配置されている。【選択図】図１
2018149241.tif 000002
【特許請求の範囲】
【請求項１】
サーフボードを置くことができるサーフチェアであって、
下部が砂地に当たり、上部がグリップ部材を備え、サーフボードを置くことができる平坦部を有し、下部側に補強材が連結された１組の脚部と、
前記脚部の間に配置され、下部が前記脚部の下側に回転可能に取り付けられ、互いに交差する位置で回転可能に連結されるとともに、上部に座布を備えた１組の座部部材と
を備え、前記座部部材は、前記サーフチェアの使用時に前記平坦部よりも低い位置に配置される、サーフチェア。
【請求項２】
前記平坦部には、前記サーフボードを立てて置くための凹部を備える、請求項１に記載のサーフチェア。
【請求項３】
前記脚部の下部には、前記サーフボードを置くためのボードフックを着脱自在に取付けるための取付部材を備える、請求項１または２に記載のサーフチェア。
【請求項４】
前記ボードフックは、前記サーフボードが置かれたときに、砂地に接し、前記サーフチェアを支持する形状を備える、請求項３に記載のサーフチェア。
【請求項５】
前記サーフチェアは、前記脚部の上側に掛け渡された背布を備える、請求項１から４のいずれか１項に記載のサーフチェア。
【発明の詳細な説明】
【技術分野】
【０００１】
本発明は、サーフボードを置くことができるサーフチェアに関する。
【背景技術】
【０００２】
従来、サーフィンを行う場合、砂浜にサーフボードを持って行き、サーフィンを楽しむが、サーフィンを行っていない場合や、例えばライフセーバなど、監視するために待機することが必要な場合、サーフボードを身の回り近くに持ち運べるように置いておくことも必要である。サーフボードを砂浜に置くと、砂で傷がついたり、通行の障害となったり、フィンなどによる不測の事故が発生することが考えられる。
【０００３】
このため、サーフボード用のボード置きを使用することが多い。従来のサーフボード置きは、例えば特許第４，８３４，１８２号（特許文献１）に記載されるように、サーファーが座ることができる座部上にサーフボードを水平に置くようにするものが知られている。特許文献１に記載されたサーフボード置きは、サーフボードを置くことを主な目的とするものであるため、サーファーが長時間座っていることを想定しておらず、砂浜上での安定性に欠けるという問題があった。
【先行技術文献】
【特許文献】
【０００４】
【特許文献１】特許第４、８３４、１８２号公報
【発明の概要】
【発明が解決しようとする課題】
【０００５】
本発明は、上述した従来技術に鑑みてなされたものであり、本発明は、サーファーやライフセーバの砂浜での座り心地を改善するとともに、サーフボードを砂浜で安定して置くことができる、サーフチェアを提供することを目的とする。
【課題を解決するための手段】
【０００６】
すなわち、本発明によれば、
サーフボードを置くことができるサーフチェアであって、
下部が砂地に当たり、上部がグリップ部材を備え、サーフボードを置くことができる平坦部を有し、下部側に補強材が連結された１組の脚部と、
前記脚部の間に配置され、下部が前記脚部の下側に回転可能に取り付けられ、互いに交差する位置で回転可能に連結されるとともに、上部に座布を備えた１組の座部部材と
を備え、前記座部部材は、前記サーフチェアの使用時に前記平坦部よりも低い位置に配置される、サーフチェアが提供できる。
【発明の効果】
【０００７】
本発明によれば、サーファーやライフセーバなどの座り心地を改善し、長時間座っていても体に対する負担を軽減し、なおかつサーファーやライフセーバなどの行動に対応してサーフボードを置くことができるサーフチェアを提供することを目的とする。
【図面の簡単な説明】
【０００８】
【図１】図１は、本実施形態の第１実施形態のサーフチェア１０を示す斜視図。
【図２】図２は、本実施形態のサーフチェア１０の側面図（ａ）、上面図（ｂ）および正面図（ｃ）を示す図。
【図３】図３は、本実施形態の第１実施形態のサーフチェア１０にサーフボード２０を置く時の実施形態を示す図。
【図４】図４は、本実施形態で、ボードフック１１にサーフボード２０を載せた時の実施形態を示す図。
【図５】図５は、本実施形態のサーフチェア１０またはサーフチェア３０から背布７を取り外して使用する場合の実施態様を示す図。
【発明を実施するための形態】
【０００９】
以下、本発明につき、実施形態を以て説明するが、本発明は後述する実施形態に限定されるものではない。図１は、本実施形態の第１実施形態のサーフチェア１０を示す斜視図である。サーフチェア１０は、例えばアルミ製のパイプを組み合わせて作られており、一体として概ねＵ字型に形成され、両側に配置される脚部１と、両側の脚部１に回転可能に取り付けられたＵ字型の座部部材６とを備えている。
【００１０】
座部部材６は、その各端部５が脚部１に回転可能に取り付けられ、その前後の中央部８で回転可能に連結され、さらに両方の座部部材６の上部には、水平部が形成されている。両方の水平部には、座布２が掛け渡されていて、サーファーなどの臀部を保持し、両脚部１と、座部部材６とによってチェア形状が提供される。また、脚部１の下部には、脚部１を補強するための補強材９が固定されていて、砂浜上でのサーフチェア１０の安定性を改善するとともに、サーフチェア１０の前後方向の剛性を提供する。
【００１１】
さらに、脚部１の上側は、平坦部を有するＵ字形上に形成されている。平坦部には、ラバー製のグリップ部材４が被せられていて、サーファーの濡れた身体やサーフボード２０が滑らずに、安定して乗せられるようにされている。この平坦部は、肘置きとしても機能する他、平坦部に形成された凹部３は、第１実施形態では、サーフボード２０を安定して乗せておくためのサーフボード保持機能部を提供する。
【００１２】
両脚部１の高さは、上側の平坦部は、両脚部１が開いた位置で、座布２の位置よりも、高くなるように、すなわち、座部部材６の水平部の高さが、平坦部よりも低くなるように設定されていて、サーファーが、肘を平坦部に置いたときに、サーファーの太ももに肘が邪魔されないようにされている。また、上述したように高く形成された平坦部の奥側には、脚部に背布７を掛け渡すことができる。背布７は、サーファーなどの腰部を保持し、サーファーがサーフチェアから後ろ側に転倒しないように安定化することで、さらにサーファーやライフセーバへの負担を軽減することができるようにされている。
【００１３】
図１に示したサーフチェア１０は、下部が補強材９で連結されているため、剛性が改善され、さらに砂地に設置する面積が増加することにより、座った時の安定性が改善でき、また背布７を取り付けた場合、腰部をサポートし、座った時の安定性が改善するため、長時間座っていても、サーファーやライフセーバなどに対する負担を軽減することができる。
【００１４】
図２は、本実施形態のサーフチェア１０の側面図（ａ）、上面図（ｂ）および正面図（ｃ）を示す。図２に示すように、第１実施形態では、サーフチェアの脚部１の上部にグリップ部材４を備えた平坦部が形成され、平坦部の中央にサーフボード２０を立てて置くための凹部３が形成されている。
【００１５】
また、上面図（ｂ）に示すように、両脚部１は、矢線Ａの方向に移動自在に保持されていて、両側いっぱいに開いたときには、椅子として機能し、椅子として使用しない場合には、両脚部１を内側に移動させて、折りたたむことで、厚さを低減し、持ち運んだり、車に積んだりする場合に、邪魔にならないようになっている。
【００１６】
図３は、本実施形態の第１実施形態のサーフチェア１０にサーフボード２０を置く時の実施形態を示す。図３（ａ）は、平坦部に形成された凹部３にサーフボード２０を概ね垂直に置いた場合の実施形態であり、図３（ｂ）は、平坦部に水平にサーフボード２０を置いた場合の実施形態である。
【００１７】
図３に示すように、サーフボード２０は、グリップ部材４により滑らないように固定され、また、サーフボード２０は、座布２から十分離れておくことができるため、座布２がサーフボード２０からの海水により湿った場合でも乾燥が早い。
【００１８】
また、図３には、本実施形態の第２実施形態を提供するボードフック１１が示されている。ボードフック１１は、両脚部１の後ろ側に着脱自在に取り付けることができる構成とされている。ボードフック１１は、サーファーやライフセーバの好みにより取り外しすることができ、本実施形態では、サーフチェア１０の剛性が改善されていることに加え、ボードフック１１を、サーフチェアの脚部１の下側に、ボードフック１１の最下部が砂地すれすれとなるように配置される。
【００１９】
このため、ボードフック１１にサーフボード２０を載せた場合にでも、ボードフック１１の最下部が砂地にあたり、サーフチェア１０を支持することでサーフチェア１０の転倒や後ろへの傾きを防止することが可能とされる。
【００２０】
また、第２実施形態では、サーフチェア１０は、同時に２つのサーフボード２０を載せて保持することが可能となる。
【００２１】
図４は、本実施形態で、ボードフック１１にサーフボード２０を載せた時の実施形態を示す。図４（ａ）に示す実施形態では、ボードフック１１は、取付部材１１ａにより脚部１に固定されているが、ボードフック１１の取り付け方法は、これまで知られたいかなる方法でもかまわない。
【００２２】
図４（ｂ）は、本実施形態の第３実施形態のサーフチェア３０を示す。第３実施形態では、脚部１の平坦部は、凹部３を備えておらず、また必要に応じて、ボードフック１１が後部側に取り付けられる構成となっている。サーファーやライフセーバは、第３実施形態では、平坦部にサーフボード２０を水平置きすることができる。また、ボードフック１１を装着して、サーフチェア３０の後部にサーフボード２０を載せることができる。
【００２３】
図５は、本実施形態のサーフチェア１０またはサーフチェア３０から背布７を取り外して使用する場合の実施態様を示す。図５（ａ）が、サーフチェア１０から背布７を外して使用する場合の実施形態であり、図５（ｂ）が、サーフチェア３０から背布７を取り外した場合の実施態様である。いずれも砂浜において安定したサーフチェアの機能を提供することを可能とするとともに、サーフボード２０を座布２から離して安定して置くことを可能とする。
【００２４】
以上のように、本実施形態によれば、サーファーやライフセーバの砂浜での座り心地を改善するとともに、サーフボード２０を砂浜で安定して置くことができる、サーフチェアを提供することができる。
【符号の説明】
【００２５】
１      ：脚部
２      ：座布
３      ：凹部
４      ：グリップ部材
５      ：端部
６      ：座部部材
７      ：背布
８      ：中央部
９      ：補強材
１０    ：サーフチェア
１１    ：ボードフック
１１ａ  ：取付部材
２０    ：サーフボード
３０    ：サーフチェア
Ａ      ：矢線
【図１】
2018149241.tif 000003
【図２】
2018149241.tif 000004
【図３】
2018149241.tif 000005
【図４】
2018149241.tif 000006
【図５】
2018149241.tif 000007